(57)【要約】【課題】複数の種別のペットが布地に刺繍縫製された選択肢の中から、簡易に、家族と同様なペットを選択することができ、それを用いて刺繍が施された刺繍製品を製作するための刺繍製品用カスタムブックを提供する。【解決手段】刺繍製品用カスタムブックは、刺繍を施した刺繍製品の製作に用いるために複数の選択用の刺繍が、布地に刺繍縫製されているものであり、種別の異なる複数のペットが、布地に刺繍縫製されたペット選択用刺繍群１１を有している。ペット選択用刺繍群１１は、種別の異なる複数のペットから好みのペットが選択されるように、これら複数のペットが、配列されて布地に刺繍縫製されているものである。刺繍製品用カスタムブックを用いることで、家族と同様な犬、猫などの愛玩動物であるペットの種別を選択し、バッグなどに刺繍縫製を施し、カスタムメイドの刺繍製品を制作することができる。【選択図】図１
0003216890.tif 000002
【実用新案登録請求の範囲】
【請求項１】
刺繍を施した刺繍製品の製作に用いるために、複数の選択用の刺繍が、布地に刺繍縫製されている刺繍製品用カスタムブックであって、
前記複数の選択用の刺繍は、種別の異なる複数のペットが、前記布地に刺繍縫製されたペット選択用刺繍群であり、
前記ペット選択用刺繍群は、前記種別の異なる複数のペットから好みのペットが選択されるように、前記複数のペットが、配列されて前記布地に刺繍縫製されていることを特徴とする刺繍製品用カスタムブック。
【請求項２】
前記ペットは、犬であり、
前記ペット選択用刺繍群は、犬種の異なる複数の前記犬が、前記布地に刺繍縫製されていることを特徴とする請求項１に記載の刺繍製品用カスタムブック。
【請求項３】
前記複数の選択用の刺繍は、さらに、前記ペット選択用刺繍群から選択されたペットの色彩が選択されるように、前記布地に複数の前記色彩が刺繍縫製された色彩選択用刺繍群であり、
前記色彩選択用刺繍群は、好みの色彩が選択されるように、前記複数の色彩が、配列されて前記布地に刺繍縫製されていることを特徴とする請求項１または請求項２に記載の刺繍製品用カスタムブック。
【請求項４】
前記複数の選択用の刺繍は、さらに、前記ペット選択用刺繍群から選択されたペットに併記する文字のフォントが選択されるように、前記布地に複数の前記フォントが刺繍縫製されたフォント選択用刺繍群であり、
前記フォント選択用刺繍群は、好みのフォントが選択されるように、前記複数のフォントが、配列されて前記布地に刺繍縫製されていることを特徴とする請求項３に記載の刺繍製品用カスタムブック。
【考案の詳細な説明】
【技術分野】
【０００１】
本考案は、刺繍製品用カスタムブックに関する。
【背景技術】
【０００２】
布地に柄や文字を表す方法として刺繍が知られている。刺繍は立体感があり、豪華な雰囲気を醸し出すことができるものである。このような刺繍がバッグなどの刺繍製品に施されている。
【先行技術文献】
【特許文献】
【０００３】
【特許文献１】実登３１８９７１９号公報
【考案の概要】
【考案が解決しようとする課題】
【０００４】
刺繍は、糸の集合で柄や文字を表現するものであり、緻密な柄や小さい文字を表現することや糸の途中で色を変更することは難しく、簡易に刺繍を選択し好みの刺繍製品が製作されることが求められていた。特に、犬、猫などの愛玩動物であるペットは、家族と同様といえる存在であり、家族と同様なペットの絵柄や文字が、簡易に選択され、刺繍縫製されたバッグ、例えば、愛犬カスタムバッグといえるものが求められていた。
【０００５】
本考案は、こうした点に鑑みてなされたものであり、複数の種別のペットが布地に刺繍縫製された選択肢の中から、簡易に、家族と同様なペットを選択することができ、それを用いて刺繍が施されたカスタムメイドの刺繍製品を製作するための刺繍製品用カスタムブックを提供するものである。
【課題を解決するための手段】
【０００６】
上記課題を解決するために、本考案に係る刺繍製品用カスタムブックは、刺繍を施した刺繍製品の製作に用いるために、複数の選択用の刺繍が、布地に刺繍縫製されている刺繍製品用カスタムブックであって、前記複数の選択用の刺繍は、種別の異なる複数のペットが、前記布地に刺繍縫製されたペット選択用刺繍群であり、前記ペット選択用刺繍群は、前記種別の異なる複数のペットから好みのペットが選択されるように、前記複数のペットが、配列されて前記布地に刺繍縫製されていることを特徴とする。また、本考案に係る刺繍製品用カスタムブックの態様について、前記ペットは、犬であり、前記ペット選択用刺繍群は、犬種の異なる複数の前記犬が、前記布地に刺繍縫製されていることが好ましいがこれに限定されない。
【０００７】
本考案に係る刺繍製品用カスタムブックの態様について、前記複数の選択用の刺繍は、さらに、前記ペット選択用刺繍群から選択されたペットの色彩が選択されるように、前記布地に複数の前記色彩が刺繍縫製された色彩選択用刺繍群であり、前記色彩選択用刺繍群は、好みの色彩が選択されるように、前記複数の色彩が、配列されて前記布地に刺繍縫製されていることが好ましい。また、前記複数の選択用の刺繍は、さらに、前記ペット選択用刺繍群から選択されたペットに併記する文字のフォントが選択されるように、前記布地に複数の前記フォントが刺繍縫製されたフォント選択用刺繍群であり、前記フォント選択用刺繍群は、好みのフォントが選択されるように、前記複数のフォントが、配列されて前記布地に刺繍縫製されていることが好ましい。
【考案の効果】
【０００８】
本考案によれば、複数の種別のペットが布地に刺繍縫製された選択肢の中から、簡易に、家族と同様なペットを選択することができ、それを用いて刺繍が施されたカスタムメイドの刺繍製品を製作するための刺繍製品用カスタムブックを提供することができる。
【図面の簡単な説明】
【０００９】
【図１】実施形態の刺繍製品用カスタムブックのペット選択用刺繍群の一例を示す参考図である。
【図２】実施形態の刺繍製品用カスタムブックの色彩選択用刺繍群の一例を示す参考図である。
【図３】実施形態の刺繍製品用カスタムブックのフォント選択用刺繍群の一例を示す参考図である。
【考案を実施するための形態】
【００１０】
以下、本考案の刺繍製品用カスタムブックの実施形態を、図１から図３を用いて説明する。
【００１１】
実施形態の刺繍製品用カスタムブックは、刺繍を施した刺繍製品の製作に用いるために複数の選択用の刺繍が、布地に刺繍縫製されているものであり、複数の選択用の刺繍は、種別の異なる複数のペットが、布地に刺繍縫製されたペット選択用刺繍群１１を有している。
【００１２】
ペット選択用刺繍群１１は、種別の異なる複数のペットから好みのペットが選択されるように、これら複数のペットが、配列され布地に刺繍縫製されているものである。この例において、ペットは犬であり、ペット選択用刺繍群１１は、例えば、犬種の異なる複数の犬が、布地に刺繍縫製されているものであるが、これに限定されずペットは、猫、鳥など適宜最適なものを選択すればよい。なお、ペット選択用刺繍群１１において刺繍縫製されているペットは、シルエットとして刺繍縫製されていてもよい。
【００１３】
刺繍製品用カスタムブックは、実施形態においてさらに、複数の選択用の刺繍として、ペット選択用刺繍群１１から選択されたペットの色彩が選択されるように、布地に複数の色彩が刺繍縫製された色彩選択用刺繍群１２を有している。色彩選択用刺繍群１２は、好みの色彩が選択されるように、複数の色彩が、配列されて布地に刺繍縫製されている。
【００１４】
刺繍製品用カスタムブックは、実施形態においてさらに、ペット選択用刺繍群１１から選択されたペットに併記する文字のフォントが選択されるように、布地に複数のフォントが刺繍縫製されたフォント選択用刺繍群１３を有している。フォント選択用刺繍群１３は、好みのフォントが選択されるように、複数のフォントが、配列されて布地に刺繍縫製されている。
【００１５】
上記の特徴を有する刺繍製品用カスタムブックは、家族と同様な犬、猫などの愛玩動物であるペットの種別を選択し、バッグ、衣類、タオルなどに刺繍縫製を施し、カスタムメイドの刺繍製品を簡易に制作することができるという顕著な効果を有するものである。
【００１６】
以上、本考案の有する特徴及び優れた点を上記実施形態に記載したが、本考案は、本願の実用新案登録請求の範囲で使用されている言葉を広く一般的な意味に拡張して実施することができる。
【００１７】
また、本考案の刺繍製品用カスタムブックは、大きさや形状、素材の種類などについては多様な実施形態が可能であり、それらについて本実施形態と異なる形態による実施は、本考案の技術的範囲に含まれる。
【符号の説明】
【００１８】
１１      ペット選択用刺繍群
１２      色彩選択用刺繍群
１３      フォント選択用刺繍群
【図１】
0003216890.tif 000003
【図２】
0003216890.tif 000004
【図３】
0003216890.tif 000005